(57)【要約】【課題】板バネの挿入時に板バネの両端部が接触して連結部材が回動することを抑制するドレンキャップを提供する。【解決手段】ドレン１の開口に配置されるキャップ本体２と、キャップ本体２を前記ドレン１の開口に固定するようドレン１に挿入される板バネ３と、キャップ本体２と板バネ３を連結する連結部材４とを備え、  連結部材４は、板バネ３及びキャップ本体２に対して揺動可能に接続され、  連結部材４、キャップ本体２、板バネ３の少なくとも１つには、板バネ３又は連結部材４の揺動範囲を制限するガイド部１９を備える。【選択図】図１
2019065671.tif 000002
【特許請求の範囲】
【請求項１】
ドレンの開口に配置されるキャップ本体と、該キャップ本体を前記ドレンの開口に固定するよう前記ドレンに挿入される板バネと、前記キャップ本体と前記板バネを連結する連結部材とを備え、
前記連結部材は、前記板バネ及び前記キャップ本体に対して揺動可能に接続され、
前記連結部材、前記キャップ本体、前記板バネの少なくとも１つには、前記板バネ又は前記連結部材の揺動範囲を制限するガイド部を備えたことを特徴とするドレンキャップ。
【請求項２】
前記ガイド部は、前記板バネの両端部が接触した際に前記キャップ本体の押し込みによって前記連結部材が回動することを抑制するように設定されたことを特徴とする請求項１に記載のドレンキャップ。
【請求項３】
前記ガイド部は、前記連結部材に対して前記板バネの揺動範囲を限定するよう、前記連結部材及び前記連結部材の少なくとも一方に設けられたことを特徴とする請求項１又は２に記載のドレンキャップ。
【請求項４】
前記ガイド部は、前記キャップ本体に対して前記連結部材の揺動範囲を限定するよう、前記連結部材及び前記キャップ本体の少なくとも一方に設けられたことを特徴とする請求項１又は２に記載のドレンキャップ。
【請求項５】
前記連結部材及び前記板バネは、前記キャップ本体を上下に反転して使用する場合であっても最大口径のドレン又は最小口径のドレンに対して使用し得る位置に設定されたことを特徴とする請求項１〜４のいずれかに１項に記載のドレンキャップ。
【請求項６】
前記ガイド部は、相手側に接触する受け面と、該受け面を支持する外面とを備えて凸状に形成されたことを特徴とする請求項１〜５の何れか一項に記載のドレンキャップ。
【請求項７】
前記ガイド部の外面は、前記キャップ本体から前記ドレンへ流れ込む流体の方向に対し、滑らかな曲線を備えたことを特徴とする請求項６に記載のドレンキャップ。
【発明の詳細な説明】
【技術分野】
【０００１】
本発明は、ドレンに配置されるドレンキャップに関する。
【背景技術】
【０００２】
ビルやマンション等の建築物の屋上や各階のベランダには、雨水を排水するドレンが設けられている。ドレンには、落ち葉、小枝、紙、又は、ビニール等（以下、落ち葉等と称する）が流れ込まないようにドレンキャップが設置されている。
【０００３】
そしてドレンの中には、開口から横方向きに雨水を排水する横引きのドレンがあり、ドレンキャップも、横引きドレンに対応して構成されるものがある。
【０００４】
横引きドレンに対応するドレンキャップは、ドレンの開口に配置されるキャップ本体と、該キャップ本体に取り付けられた板バネとを備え、板バネがキャップ本体に対して１箇所で揺動可能に構成されている。キャップ本体は、雨水を通すスリットを備えてドレンの開口を覆う大きさに形成されている。また板バネは、長手方向の中央部がキャップ本体に固定され、長手方向の両端部が左右外方へ展開するようになっている。
【０００５】
ドレンキャップをドレンの開口に配置する際には、板バネの傾斜方向をドレンの延在方向に向け、板バネの両端部を互いに近づかせるように湾曲し、板バネをドレン内へ挿入し、ドレン内で板バネ自身の弾性力によって両端部の間隔を広げ、図１１に示すごとく、板バネＡをドレンＢの内周面に圧接して固定する。
【０００６】
一方、１箇所で揺動するドレンキャップは、板バネＡをドレンＢに挿入する際に、板バネＡの傾斜方向がドレンＢへの挿入方向（ドレンの延在方向）でなく、ドレンＢに対して斜め方向に傾く場合があり、このような場合には、板バネＡが、図１２に示すごとくドレンＢの斜め周方向へスライドして板バネＡの両端部が接触するため、板バネＡをドレンＢ内に完全に納めることができないという問題があった。またドレンキャップの板バネＡは、ドレンＢの最小口径（５０ｍｍΦ）や最大口径（１００ｍｍΦ）に適用する場合にこのような問題を生じ易かった。
【０００７】
このため、ドレンキャップの中には、キャップ本体と板バネＡの間に連結部材を設けて２箇所で揺動可能にしたものがある（例えば、特許文献１参照）。２箇所で揺動するドレンキャップは、連結部材が延長部材として作用し、ドレンＢが最小口径（５０ｍｍΦ）や最大口径（１００ｍｍΦ）の場合であっても、板バネＡの傾斜方向をドレンＢへの挿入方向（ドレンの延在方向）に修正することが可能となる。
【先行技術文献】
【特許文献】
【０００８】
【特許文献１】特開２０１６−１４５４６８号公報
【発明の概要】
【発明が解決しようとする課題】
【０００９】
しかしながら、２箇所で揺動するドレンキャップであっても、板バネＡの傾斜方向がドレンＢの延在方向でなく、ドレンＢの斜め方向に傾くと、板バネＡの挿入時に、板バネＡがドレンＢの斜め周方向へスライドして板バネＡの両端部が接触する状態になる。続けて図１３、図１４に示すごとくキャップ本体ＣをドレンＢの方向へ押し込むと、板バネＡがドレンＢ内を進むことなく、板バネＡの揺動支点がドレンＢから逃げるように連結部材Ｄが回動してしまうという問題があった。特にドレンＢが最大口径や最小口径である場合には連結部材Ｄを大きく傾ける必要があり、板バネＡの両端部がドレンＢ内で接触して連結部材Ｄが回動しやすいという問題があった。
【００１０】
そこで、本発明は、板バネの挿入時に板バネの両端部が接触して連結部材が回動することを抑制するドレンキャップを提供することを目的とする。
【課題を解決するための手段】
【００１１】
本発明のドレンキャップは、ドレンの開口に配置されるキャップ本体と、該キャップ本体を前記ドレンの開口に固定するよう前記ドレンに挿入される板バネと、前記キャップ本体と前記板バネを連結する連結部材とを備え、
前記連結部材は、前記板バネ及び前記キャップ本体に対して揺動可能に接続され、
前記連結部材、前記キャップ本体、前記板バネの少なくとも１つには、前記板バネ又は前記連結部材の揺動範囲を制限するガイド部を備えたものである。
【００１２】
本発明のドレンキャップにおいて、前記ガイド部は、前記板バネの両端部が接触した際に前記キャップ本体の押し込みによって前記連結部材が回動することを抑制するように設定されたものである。
【００１３】
本発明のドレンキャップにおいて、前記ガイド部は、前記連結部材に対して前記板バネの揺動範囲を限定するよう、前記連結部材及び前記連結部材の少なくとも一方に設けられたものである。
【００１４】
本発明のドレンキャップにおいて、前記ガイド部は、前記キャップ本体に対して前記連結部材の揺動範囲を限定するよう、前記連結部材及び前記キャップ本体の少なくとも一方に設けられたものである。
【００１５】
本発明のドレンキャップにおいて、前記連結部材及び前記板バネは、前記キャップ本体を上下に反転して使用する場合であっても最大口径のドレン又は最小口径のドレンに対して使用し得る位置に設定されたものである。
【００１６】
本発明のドレンキャップにおいて、前記ガイド部は、相手側に接触する受け面と、該受け面を支持する外面とを備えて凸状に形成されたものである。
【００１７】
本発明のドレンキャップにおいて、前記ガイド部の外面は、前記キャップ本体から前記ドレンへ流れ込む流体の方向に対し、滑らかな曲線を備えたものである。
【発明の効果】
【００１８】
本発明によれば、板バネの挿入時に板バネの両端部が接触して連結部材が回動することを抑制することができる。
【図面の簡単な説明】
【００１９】
【図１】ドレンキャップを示す全体斜視図である。
【図２】キャップ本体の支持部本体、連結部材、板バネを示す斜視図である。
【図３】連結部材を揺動した状態を示す側面の概念図である。
【図４】キャップ本体を示す斜視図である。
【図５】キャップ本体の他例を示す斜視図である。
【図６】キャップ本体の別例を示す斜視図である。
【図７】連結部材を示す斜視図である。
【図８】連結部材の他例を示す斜視図である。
【図９】ドレンキャップを上下反転した状態で最大口径のドレンに対応する状態を示す全体斜視図である。
【図１０】ドレンキャップを上下反転した状態で連結部材を揺動した状態を示す全体側面の概念図である。
【図１１】（Ａ）はドレンに板バネを適切に配置した状態を示す平面図であり、（Ｂ）はドレンに板バネを適切に配置した状態を示す側面図である。
【図１２】（Ａ）はドレンに板バネを斜め方向に挿入し、板バネの両端部が接触した状態を示す平面図であり、（Ｂ）はドレンに板バネを斜め方向に挿入し、板バネの両端部が接触した状態を示す側面図である。
【図１３】ドレンに板バネを斜め方向に挿入して板バネの両端部が接触した状態を示す全体側面の概念図である。
【図１４】ドレンに板バネを斜め方向に挿入して板バネの両端部が接触した状態から、更に押し込んで連結部材が回動した状態を示す全体側面の概念図である。
【発明を実施するための形態】
【００２０】
以下、本発明の実施の形態を添付図面を参照して説明する。
【００２１】
本発明の実施の形態を示すドレンキャップは、図１〜図３に示すごとく、ドレン１の開口に配置されるキャップ本体２と、キャップ本体２をドレン１の開口に固定する板バネ３と、キャップ本体２と板バネ３を連結する連結部材４とを備えている。
【００２２】
キャップ本体２は、図４に示すごとく雨水を通すスリット２ａを備えてドレン１（図１参照）の開口を覆う大きさに形成されていると共に、内側に空間を保持するように立体形状に構成されている。またキャップ本体２は、第一のキャップ部材５と第二のキャップ部材６を備えて接続ピン７により揺動自在な構成になっている。第一のキャップ部材５は、四角形の平面に形成される第一の主排水面５ａと、第一の主排水面５ａから両側に屈曲して三角形の平面に形成される第一の側部排水面５ｂとを備え、第一の主排水面５ａの上辺を揺動用の接続部とすると共に接続ピン７を配置可能にしている。また第二のキャップ部材６は、第一のキャップ部材５と同様に、四角形の平面に形成される第二の主排水面６ａと、第二の主排水面６ａから両側に屈曲して三角形の平面に形成される第二の側部排水面６ｂとを備え、第二の主排水面６ａの下辺を揺動用の接続部とすると共に接続ピン７を配置可能にしている。更にキャップ本体２は、内部の空間と共に三方向の排水面を備え、落ち葉等に埋もれることや、目詰まりを起こすことを防止するようにしている。
【００２３】
キャップ本体２は、図１、図２に示すごとく第二のキャップ部材６にブロック状の支持部本体８を備えており、支持部本体８には、連結部本体１８を接続するための接続孔８ａを備えている。
【００２４】
ここで、キャップ本体２は、図５に示すごとく主排水面９及び側部排水面１０を備え、固定された一体型のものでも良いし、図６に示すごとく底側排水面１１と壁側排水面１２を備えるよう中央部で屈曲した一体型のものでも良い。
【００２５】
板バネ３は、図２に示すごとく長手方向の中央部１３に締結孔１３ａを備えている。板バネ３の中央部１３はバネ固定部材１４にボルト等の固定手段１５を用いて固定され、長手方向の両端部１６が左右外方へ展開するようになっている。バネ固定部材１４は、板バネ３の反対方向へ突出する凸状接続部１７を備えている。バネ固定部材１４の固定面には、板バネ３が回転しないように上下に止め部１４ａを設けており、凸状接続部１７の中央には、連結部材４に接続するための接続孔１７ａを備えている。
【００２６】
連結部材４は、図１、図２、図７に示すごとく、所定の長さを持った連結部本体１８と、連結部本体１８の上下面に形成されたガイド部１９とを備えている。ここでガイド部１９の設置場所は、連結部本体１８の上下面に限定されるものでなく、連結部本体１８の側面でも良いし、板バネ３のバネ固定部材１４、キャップ本体２の支持部本体８でも良い。またガイド部１９は、連結部本体１８の上下面にそれぞれ１個ずつ形成されるものに限定されず、図８に示すごとく上下面の片側一方に形成されても良いし、連結部本体１８の側面、板バネ３のバネ固定部材１４、キャップ本体２の支持部本体８から選択する１カ所または複数箇所でも良い。
【００２７】
連結部本体１８は、両端側に第一接続孔１８ａと第二接続孔１８ｂを備え、板バネ３のバネ固定部材１４にボルト等の接続手段２０を用いて締結していると共に、キャップ本体２の支持部本体８にボルト等の接続手段２１を用いて締結している。また連結部本体１８は、第二接続孔１８ｂを有する端部を段差状に形成し、キャップ本体２の支持部本体８との接続を容易にしている。
【００２８】
ガイド部１９は、連結部本体１８の上面に位置し且つ第一接続孔１８ａより中央寄り部分に形成される第一のガイド体２２と、連結部本体１８の下面に位置し且つ第一接続孔１８ａより中央寄り部分に形成される第二のガイド体２３とを備えている。第一のガイド体２２及び第二のガイド体２３は、板バネ３のバネ固定部材１４（相手側）が接触し得る受け面２４と、受け面２４を支持するよう受け面２４の頂点から所定幅を有して形成される外面２５とを備え、凸状に形成されている。ガイド部１９の受け面２４は、連結部本体１８の上面又は下面に対して斜め方向の直線の面で形成されている。またガイド部１９の外面２５は、キャップ本体２からドレン１へ流れ込む雨水（流体）の方向に対し、滑らかな曲線の面を形成するように湾曲している。ここでガイド部１９の外面２５は、凸状のガイド部１９を形成するならば直線の面でも良いし、他の曲線の面でも良い。
【００２９】
ガイド部１９の受け面２４について更に具体的に説明すると、第一のガイド体２２の受け面２４は、連結部本体１８の上面に対して４°以上７０°以下の角度、好ましくは
６４°の角度を備えている。また第二のガイド体２３の受け面２４は、連結部本体１８の下面に対して４°以上７０°以下の角度、好ましくは６４°の角度を備えている。
【００３０】
続いて、ドレンキャップの作用を説明する。
【００３１】
ドレンキャップは、使用方向が上下で限定されることなく、上下反転して用いることが可能である。またガイド部１９の構成によっては使用方向を上下で限定しても良い。
【００３２】
以下、キャップ本体２において連結部材４が上側に位置する場合（第二のキャップ部材６を上側にする場合）について説明する。
【００３３】
ドレンキャップを最小口径（５０ｍｍΦ）のドレン１に対して使用する場合には、図１、図２に示すごとく連結部材４を下側へ大きく傾け、且つ板バネ３のバネ固定部材１４が第一のガイド体２２の受け面２４に接触するまで板バネ３を傾け、板バネ３が水平方向に向くようにする。この時、図３（図３では下側の板バネ３）に示すごとく、板バネ３は、挿入方向が最小口径（５０ｍｍΦ）のドレン１の中央軸線上または中央軸線上近傍に位置するようになっている。
【００３４】
ドレンキャップを最大口径（１００ｍｍΦ）のドレン１に対して使用する場合には、図３（図３では上側の板バネ３）に示すごとく連結部材４をあまり傾けることなく、且つ板バネ３が水平方向に向くようにする。この時、板バネ３は、挿入方向が最大口径（１００ｍｍΦ）のドレン１の中央軸線上または中央軸線上近傍に位置するようになっている。
【００３５】
そしてドレン１に板バネ３を挿入して固定する際には、板バネ３の両端部１６を互いに近づかせるように湾曲し、板バネ３をドレン１内へ挿入し、ドレン１内で板バネ３自身の弾性力によって両端部１６の間隔を広げ、板バネ３をドレン１の内周面に圧接して固定する。
【００３６】
このようにドレンキャップを口径の小さいドレン１に使用する場合には、ガイド部１９が板バネ３のバネ固定部材１４に接触して連結部材４と板バネ３の揺動角度が制限されるため、従来例（図１３、図１４参照）のように連結部材４が回動することを抑制できる。ここでガイド部１９は、口径の小さいドレン１に対してのみ第一のガイド体２２を使用し、口径の小さいドレン１よりも口径が大きい場合には第一のガイド体２２、第二のガイド体２３を使用しないようにしても良い。また口径が小さいドレン１よりも口径が大きい場合には、連結部材４と板バネ３の傾斜や、連結部材４とキャップ本体２の傾斜が小さいため、連結部材４の回動がなく、ガイド部１９の適用が不要となる。
【００３７】
以下、ドレンキャップのキャップ本体２を上下に反転しても使用できるようキャップ本体２において連結部材４が下側に位置する場合（第二のキャップ部材６を下側にする場合）について説明する。
【００３８】
ドレンキャップを最大口径（１００ｍｍΦ）のドレン１に対して使用する場合には、図９に示すごとく連結部材４を上側へ大きく傾け、且つ板バネ３のバネ固定部材１４が第一のガイド体２２の受け面２４（図２参照）に接触するまで板バネ３を傾け、板バネ３が水平方向に向くようにする。この時、図１０（図１０では上側の板バネ３）に示すごとく、板バネ３は、挿入方向が最大口径（１００ｍｍΦ）のドレン１の中央軸線上または中央軸線上近傍に位置するようになっている。
【００３９】
ドレンキャップを最小口径（５０ｍｍΦ）のドレン１に対して使用する場合には、図１０（図１０では下側の板バネ３）に示すごとく連結部材４をあまり傾けることなく、且つ板バネ３が水平方向に向くようにする。この時、板バネ３は、挿入方向が最小口径（５０ｍｍΦ）のドレン１の中央軸線上または中央軸線上近傍に位置するようになっている。
【００４０】
そしてドレン１に板バネ３を挿入して固定する際には、先の場合と同様に、板バネ３の両端部１６を互いに近づかせるように湾曲し、板バネ３をドレン１内へ挿入し、ドレン１内で板バネ３自身の弾性力によって両端部１６の間隔を広げ、板バネ３をドレン１の内周面に圧接して固定する。
【００４１】
このようにドレンキャップのキャップ本体２を上下に反転し、口径の大きいドレン１に使用する場合には、ガイド部１９が板バネ３のバネ固定部材１４に接触して連結部材４と板バネ３の揺動角度が制限されるため、連結部材４が回動することを抑制できる。ここでガイド部１９は、上下に反転した場合、連結部材４の傾斜が上方に大きくなるように、口径が大きいドレン１に対してのみ第一のガイド体２２を使用し、口径の大きいドレン１よりも口径が小さい場合には、第一のガイド体２２、第二のガイド体２３を使用しないようにしても良い。また口径が大きいドレン１よりも口径が小さい場合には、連結部材４と板バネ３の傾斜や、連結部材４とキャップ本体２の傾斜が小さいため、連結部材４が回動することがなく、ガイド部１９の適用が不要となる。
【００４２】
従って、ドレンキャップでは、板バネ３の挿入時に板バネ３の両端部１６が接触して連結部材４が回動することを抑制できる。
【００４３】
ドレンキャップにおいて、ガイド部１９は、板バネ３の両端部１６が接触した際にキャップ本体２の押し込みによって連結部材４が回動することを抑制するように設定される。これにより板バネ３の挿入を容易にすると共に、連結部材４が回動することを適切に抑制できる。
【００４４】
ドレンキャップにおいて、ガイド部１９は、連結部材４に対して板バネ３の揺動範囲を限定するよう、連結部材４及び連結部材４の少なくとも一方に設けられると、連結部材４が回動することを一層好適に抑制できる。
【００４５】
ドレンキャップにおいて、ガイド部１９は、キャップ本体２に対して連結部材４の揺動範囲を限定するよう、連結部材４及び前記キャップ本体２の少なくとも一方に設けられると、連結部材４が回動することを一層好適に抑制できる。
【００４６】
ドレンキャップにおいて、連結部材４及び板バネ３は、キャップ本体２を上下に反転して使用する場合であっても最大口径のドレン１又は最小口径のドレン１に対して使用し得る位置に設定されると、連結部材４が回動することを抑制すると同時に、ユニバーサルデザインとして使用の自由度を高めることができる。
【００４７】
ドレンキャップにおいて、ガイド部１９は、相手側が接触する受け面２４と、受け面２４を支持する外面２５とを備えて凸状に形成されると、ガイド部１９の簡易な形状により連結部材４が回動することを抑制できる。
【００４８】
ドレンキャップにおいて、ガイド部１９の外面２５は、キャップ本体２からドレン１へ流れ込む流体の方向に対し、滑らかな曲線を備えると、連結部材４が回動することを抑制すると同時に、雨水（流体）と共に流れ込んだ落ち葉等がガイド部１９に引っかかることを抑制できる。
【００４９】
尚、本発明のドレンキャップは、上述の実施例にのみ限定されるものではなく、本発明の要旨を逸脱しない範囲内において種々変更を加え得ることは勿論である。
【符号の説明】
【００５０】
１      ドレン
２      キャップ本体
３      板バネ
４      連結部材
１６    両端部
１９    ガイド部
２４    受け面
２５    外面
【図１】
2019065671.tif 000003
【図２】
2019065671.tif 000004
【図３】
2019065671.tif 000005
【図４】
2019065671.tif 000006
【図５】
2019065671.tif 000007
【図６】
2019065671.tif 000008
【図７】
2019065671.tif 000009
【図８】
2019065671.tif 000010
【図９】
2019065671.tif 000011
【図１０】
2019065671.tif 000012
【図１１】
2019065671.tif 000013
【図１２】
2019065671.tif 000014
【図１３】
2019065671.tif 000015
【図１４】
2019065671.tif 000016